(57)【要約】【課題】  例えば開発時や出荷の際のチェック作業時に、発生したエラーの原因を容易に特定させることができるパチンコ遊技機を提供する。【解決手段】  遊技又は演出に係る各種制御コマンド及び情報を送信し得る主制御基板１２と、該主制御基板１２の制御コマンドを受信して、当該制御コマンドに応じた動作を図柄表示手段１４にて行わせる図柄制御基板１３とを具備したパチンコ遊技機１において、図柄制御基板１３には、制御コマンドに対応した複数の動作をそれぞれ確認させ得る動作確認用表示手段１７（第１ＬＥＤ１７ａ、第２ＬＥＤ１７ｂ及び第３ＬＥＤ１７ｃ）が形成されたものである。【選択図】図２
2006340884.tif 000002
【特許請求の範囲】
【請求項１】
遊技又は演出に係る各種制御コマンド及び情報を送信し得る主制御基板と、
該主制御基板からの制御コマンドを受信して、当該制御コマンドに応じた動作を図柄表示手段にて行わせる図柄制御基板と、
を具備したパチンコ遊技機において、
前記図柄制御基板には、制御コマンドに対応した複数の動作をそれぞれ確認させ得る動作確認用表示手段が形成されたことを特徴とするパチンコ遊技機。
【請求項２】
前記動作確認用表示手段は、前記図柄制御基板の正常時の動作と連動して表示する正常時表示状態と、前記主制御基板から送信された情報に基づき複数のエラー発生を区別して表示するエラー表示状態とを各々表示可能とされたことを特徴とする請求項１記載のパチンコ遊技機。
【請求項３】
前記図柄制御基板には、遊技者が操作可能な操作手段が接続されるとともに、当該操作手段を操作することにより、前記エラー表示状態におけるエラー発生の表示を解除し得ることを特徴とする請求項２記載のパチンコ遊技機。
【発明の詳細な説明】
【技術分野】
【０００１】
本発明は、遊技又は演出に係る各種制御コマンドを生成して送信し得る主制御基板と、該主制御基板の制御コマンドを受信して、当該制御コマンドに応じた動作を図柄表示手段にて行わせる図柄制御基板とを具備したパチンコ遊技機に関するものである。
【背景技術】
【０００２】
パチンコ遊技機は、一般に、遊技全般を制御すべく遊技や演出に係る各種コマンドを生成して送信し得る主制御基板と、該主制御基板の制御コマンドを受信して、その制御コマンドに応じて図柄表示手段における各種動作（複数の図柄の変動表示、停止表示或いは演出表示など）を行わせる図柄制御基板とを有している。従来のパチンコ遊技機においては、主制御基板と図柄制御基板との間で制御コマンドの通信エラーが生じた場合など、当該エラーを図柄表示手段にて表示させるパチンコ遊技機が開示されている（例えば特許文献１参照）。
【特許文献１】特開２００１−１１２９８３号公報
【発明の開示】
【発明が解決しようとする課題】
【０００３】
しかしながら、上記従来のパチンコ遊技機においては、以下の如き問題があった。
近時においては、図柄表示手段の高性能化に伴い、主制御基板から図柄制御基板へ送信すべき制御コマンドが増大し且つ複雑化しており、開発時や出荷の際のチェック作業時においては、表示されたエラーの原因を特定できなければ対応が極めて困難な状態となっている。
【０００４】
然るに、上記従来のパチンコ遊技機においては、主制御基板から送信される複数の制御コマンドのうち図柄制御基板が何れか１つを受信しなかった場合、通信エラー（具体的には「×」印）として図柄表示手段にて表示するので、作業者が通信エラーを確認できるものの、どこがエラーの原因になったのか切り分けが困難であるという問題があった。即ち、漠然とした通信エラーのみを表示しても、プログラムのバグ等が原因なのか或いは配線ミス等物理的原因なのかが不明であり、エラーの特定が困難とされていたのである。
【０００５】
本発明は、このような事情に鑑みてなされたもので、例えば開発時や出荷の際のチェック作業時に、発生したエラーの原因を容易に特定させることができるパチンコ遊技機を提供することにある。
【課題を解決するための手段】
【０００６】
請求項１記載の発明は、遊技又は演出に係る各種制御コマンド及び情報を送信し得る主制御基板と、該主制御基板からの制御コマンドを受信して、当該制御コマンドに応じた動作を図柄表示手段にて行わせる図柄制御基板とを具備したパチンコ遊技機において、前記図柄制御基板には、制御コマンドに対応した複数の動作をそれぞれ確認させ得る動作確認用表示手段が形成されたことを特徴とする。
【０００７】
請求項２記載の発明は、請求項１記載のパチンコ遊技機において、前記動作確認用表示手段は、前記図柄制御基板の正常時の動作と連動して表示する正常時表示状態と、前記主制御基板から送信された情報に基づき複数のエラー発生を区別して表示するエラー表示状態とを各々表示可能とされたことを特徴とする。
【０００８】
請求項３記載の発明は、請求項２記載のパチンコ遊技機において、前記図柄制御基板には、遊技者が操作可能な操作手段が接続されるとともに、当該操作手段を操作することにより、前記エラー表示状態におけるエラー発生の表示を解除し得ることを特徴とする。
【発明の効果】
【０００９】
請求項１の発明によれば、図柄制御基板には制御コマンドに対応した複数の動作をそれぞれ確認させ得る動作確認用表示手段が形成されているので、例えば開発時や出荷の際のチェック作業時に、発生したエラーの原因を容易に特定させることができる。
【００１０】
請求項２の発明によれば、動作確認用表示手段は、図柄制御基板の正常時の動作と連動して表示する正常時表示状態と、複数のエラー発生を区別して表示するエラー表示状態とを各々表示可能とされているので、発生したエラーの原因をより容易に特定させることができる。
【００１１】
請求項３の発明によれば、図柄制御基板に接続された操作手段を操作することにより、エラー表示状態のエラー発生表示を解除し得るので、解除した後においても再びエラー発生表示が行われるか否かを視認すれば、エラーが反復的に発生しているか否かの確認を可能とすることができる。また、遊技で必要とされる操作手段がエラー発生表示を解除する手段を兼用するので、別個の解除手段等が不要となり、装置構成を簡素化することができる。
【発明を実施するための最良の形態】
【００１２】
以下、本発明の実施形態について図面を参照しながら具体的に説明する。
本実施形態に係るパチンコ遊技機は、始動条件の成立により図柄を可変表示する図柄表示手段を有し、該図柄表示手段に所定の図柄が停止表示されることを条件に多数の遊技球が獲得できる大当たり状態を発生させるよう制御されたもので、図１に示すように、ガラス板２が取り付けられた前面枠３を有しており、かかるガラス板２から遊技者が遊技盤４を目視し得るよう構成されている。
【００１３】
この遊技盤４には、種々役物や複数の釘或いは風車等が形成されているとともに、開閉可能なチューリップ型の始動口６及び大入賞口７がそれぞれ形成されている。更に、遊技盤４の略中央には、３つのドラムから成る図柄表示手段５が配設されており、各々のドラムには複数の図柄が表示されている。そして、始動条件が成立（本実施形態の場合は始動口６に遊技球が入賞）したときにドラムを回転させて図柄を可変表示させ、それぞれの図柄が揃って停止表示されることにより「大当たり」状態として大入賞口７を所定時間及びタイミングで開口させて多数の遊技球を獲得できるよう構成されている。
【００１４】
パチンコ遊技機１の下方右隅部にはハンドル８が配設されており、該ハンドル８の操作により上皿９内の遊技球が遊技盤４へ打ち出されるよう構成されている。上皿９には、遊技内容に応じて遊技者が押圧操作可能な操作手段１１が配設されており、遊技中において押圧操作がなされると、例えば演出時の選択等を行い得るようになっている。尚、操作手段１１は、パチンコ遊技機１における遊技者が押圧操作可能な位置に配設されていれば足り、例えば下皿１０に形成するようにしてもよい。
【００１５】
パチンコ遊技機１の裏面側には、図２に示すように、主制御基板１２と該主制御基板１２と電気的に接続された図柄制御基板１３とが配設されており、当該図柄制御基板１３には、図示しないランプ制御基板及び音声制御基板が電気的に接続されている。主制御基板１２は、遊技全般に係る制御を行うべく、遊技又は演出に係る各種制御コマンド及び情報（エラー情報や遊技情報など）を生成し得るものである。また、主制御基板１２には、生成された制御コマンド及び情報を図柄制御基板１３側に送信し得る送信手段１５が形成される一方、その制御コマンド及び情報を受信するための受信手段１６が図柄制御基板１３に形成されている。
【００１６】
図柄制御基板１３は、主制御基板１２の発信手段１５から発信された制御コマンド及び情報を受信して、当該制御コマンドに応じた動作を図柄表示手段１４にて行わせるもので、そのＣＰＵが図柄表示手段１４におけるドラム用モータ１４ａ及び位置検出スイッチ１４ｂと電気的に接続されている。ドラム用モータ１４ａは、図柄表示手段１４に配設された３つのドラム（不図示）それぞれと連結され、各ドラムを回転駆動又は停止させ得るものである。また、位置検出スイッチ１４ｂは、各ドラムに対応して３つ配設されたスイッチから成り、当該ドラムが回転してその所定の部位が一定の位置（原点）を通過すると作動し、検出信号が図柄制御基板１３側に送信され得るよう構成されている。
【００１７】
ここで、本実施形態に係る図柄制御基板１３には、制御コマンドに応じた複数の動作をそれぞれ確認させ得る動作確認用表示手段１７が形成されている。かかる動作確認用表示手段１７は、例えば３つのＬＥＤ（第１ＬＥＤ１７ａ、第２ＬＥＤ１７ｂ、及び第３ＬＥＤ１７ｃ）から成り、それぞれを図柄制御基板１３のＣＰＵと電気的に接続して構成されている。
【００１８】
第１ＬＥＤ１７ａは、図柄制御基板１３の受信手段１６が制御コマンドを受信する毎に点滅して表示するもので、例えば所定の制御コマンドの受信すると、５００ｍｓの期間で点滅（点滅周期は例えば５０ｍｓ）するよう構成されている。かかる第１ＬＥＤ１７ａの点滅表示を確認することにより、制御コマンドの受信までが正常であるか否か（即ち、配線ミス等の物理的異常があるか否か）を判別可能とされる。
【００１９】
第２ＬＥＤ１７ｂは、各種スイッチ（本実施形態においては、位置検出スイッチ１４ｂ）が作動して検出信号が図柄制御基板１３にて受信されると、その受信タイミングと同期して点灯表示するものである。即ち、本実施形態においては、図柄表示手段１４の各ドラムが回転して原点位置を通過する毎に第２ＬＥＤ１７ｂが点灯するよう設定されているので、プログラムにバグ等の異常があっても位置検出スイッチ１４ｂが正常に作動するか否かを確認でき、スイッチ系統の異常とプログラムの異常とを区別することができる。尚、本実施形態においては、第２ＬＥＤ１７ｂが位置検出スイッチ１４ｂの検出信号と同期（当該位置検出スイッチ１４ｂの作動と連動）して点滅するよう設定されているが、図柄制御基板１３に検出信号が送信される他のスイッチと連動させて点滅させるようにしてもよい。
【００２０】
第３ＬＥＤ１７ｃは、主制御基板１２から送信された情報に基づき複数のエラー発生を区別して表示する（エラー表示状態）ためのもので、主制御基板１２における遊技状態と主制御基板１２から送信されたエラー情報とを勘案して点滅表示の形態（点滅の周期や消灯）を区別させ得るものである。例えば主制御基板１２において遊技状態が、「確変（大当たりとなる確率が高められた状態）」のとき、周期が２５０ｍｓの点滅、「時短（図柄表示手段における１回の図柄の変動時間が短縮された状態）」のとき、周期が５００ｍｓの点滅、「通常（確変又は時短でない状態）」のとき、消灯するよう設定される一方、例えば大当たりのシナリオ（リーチ時の演出形態など）の情報が図柄制御基板１３にて受信された後、如何なる図柄を停止表示させるべきかの情報が受信されないエラーや、ドラム用モータ１４ａを駆動しているにも関わらず当該ドラム用モータ１４ａの原点が１回も検出されないエラーの発生時においては、周期３０００ｍｓで点滅表示するよう設定されている。これにより、第３ＬＥＤ１７ｃの点滅周期の違いを視認することにより、制御コマンドの異常やドラムの異常を確認することができる。尚、第３ＬＥＤ１７ｃによるエラー発生時の点滅時を「エラー表示状態」と定義する。
【００２１】
然るに、第１ＬＥＤ１７ａ及び第２ＬＥＤ１７ｂの点滅は、図柄制御基板１３による正常時の動作（制御コマンドの受信や位置検出スイッチ１４ｂによる検出信号の受信）と連動する（かかる表示状態を正常時表示状態と定義する。）よう設定されているとともに、第３ＬＥＤ１７ｃの点滅が複数のエラー発生を区別して表示（かかる表示状態をエラー表示状態と定義する。）するよう設定されているため、動作確認用表示手段１７は、これら状態を各々表示可能なものとされている。これにより、発生したエラーの原因をより容易に特定させることができる。
【００２２】
更に、本実施形態においては、第３ＬＥＤ１７ｃにてエラー表示状態とされているとき、操作手段１１を押圧操作することにより、当該エラー表示状態におけるエラー発生の点灯表示を解除し得るよう構成されている。これにより、解除した後においても再びエラー発生表示が行われるか否かを視認すれば、エラーが反復的に発生しているか否かの確認を可能とすることができる。また、遊技で必要とされる操作手段１１がエラー発生表示を解除する手段を兼用するので、別個の解除手段等が不要となり、装置構成を簡素化することができる。
【００２３】
上記実施形態によれば、図柄制御基板１３には制御コマンドに対応した複数の動作をそれぞれ確認させ得る動作確認用表示手段１７が形成されているので、例えば開発時や出荷の際のチェック作業時に、発生したエラーの原因を容易に特定させることができる。即ち、動作確認用表示手段１７は、プログラムの異常によるエラーとスイッチ異常など物理的（ハード的）異常とをそれぞれ確認させ得るので、エラー原因特定のための切り分けが可能とされているのである。
【００２４】
以上、本実施形態について説明したが、本発明はこれに限定されず、例えば動作確認用表示手段としてのＬＥＤを２つ或いは４つ以上の複数としてもよく、或いは動作確認用表示手段をＬＥＤ以外の表示手段（制御コマンドに対応した複数の動作をそれぞれ確認し得る複数のランプ等）としてもよい。また、本実施形態においては、操作手段１１の押圧操作により第３ＬＥＤ１７ｃにおけるエラー発生表示を解除しているが、他の操作手段（別個設けた操作手段含む）にて解除するようにしてもよい。
【産業上の利用可能性】
【００２５】
制御コマンドに対応した複数の動作をそれぞれ確認させ得る動作確認用表示手段が図柄制御基板に形成されたパチンコ遊技機であれば、外観形状が異なるもの或いは他の機能が付加されたもの等にも適用することができる。
【図面の簡単な説明】
【００２６】
【図１】本発明の実施形態に係るパチンコ遊技機を示す外観図
【図２】同パチンコ遊技機における主制御基板、図柄制御基板及び図柄表示手段等の接続状態を示すブロック図
【符号の説明】
【００２７】
１    パチンコ遊技機
２    ガラス板
３    前面枠
４    遊技盤
５    図柄表示手段
６    始動口
７    大入賞口
８    ハンドル
９    上皿
１０  下皿
１１  操作手段
１２  主制御基板
１３  図柄制御基板
１４  図柄表示手段
１５  発信手段
１６  受信手段
１７  動作確認用表示手段
１７ａ  第１ＬＥＤ
１７ｂ  第２ＬＥＤ
１７ｃ  第３ＬＥＤ
【図１】
2006340884.tif 000003
【図２】
2006340884.tif 000004